【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
モバイルコンピューティングアレンジメントであって、
該アレンジメントの方向および動きを含む運動イベントの第一のデータを検知するセンサーと、
少なくとも一つの所定の手順が実行されるべきかどうかを決定するために、該第一のデータを該方向および該動きの変化の所定の閾値範囲を含む第二のデータと比較するプロセッサと、を備え、
該所定の手順が実行される場合、該プロセッサが、該運動イベントに対応する該所定の手順を、該第一のデータの関数として選択し、
該少なくとも一つの所定の手順が実行され、
該プロセッサに結合された通信デバイスをさらに備え、
該所定の手順は、該モバイルコンピューティングアレンジメントのイベント履歴を遠隔で監視するために、該第一のデータの少なくとも一部分をリモートのコンピューティングデバイスに無線で伝送することを含む、アレンジメント。
【請求項２】
前記プロセッサに結合されたメモリデバイスをさらに備え、
前記所定の手順は、該メモリデバイスの中に前記第一のデータを格納することを含む、請求項１に記載のアレンジメント。
【請求項３】
前記所定の手順は、権限を有するユーザーだけに前記第一のデータへのアクセスを可能とするために、前記格納された第一のデータを暗号化することを含む、請求項２に記載のアレンジメント。
【請求項４】
前記動きは、速度の値、加速度の値、および角速度の値のうちの少なくとも１つを含む、請求項１に記載のアレンジメント。
【請求項５】
前記方向は、前記アレンジメントの少なくとも１つの軸に対しての該アレンジメントの少なくとも１つの角運動の値を含む、請求項１に記載のアレンジメント。
【請求項６】
少なくとも１つの軸は、３次元軸を含む、請求項５に記載のアレンジメント。
【請求項７】
前記所定の手順は、前記運動イベントの時／日、前記アレンジメントの状態、および環境データのうちの少なくとも１つを、前記第一のデータにさらに追加することを含む、請求項１に記載のアレンジメント。
【請求項８】
前記所定の手順は、（ｉ）前記アレンジメントの物理的衝撃のレベルおよび（ｉｉ）該アレンジメントが移動した距離のうちの少なくとも１つを、前記第一のデータの関数として決定することを含む、請求項１に記載のアレンジメント。
【請求項９】
前記通信デバイスは、無線トランシーバーおよび有線トランシーバーのうちの少なくとも１つを含む、請求項１に記載のアレンジメント。
【請求項１０】
前記アレンジメントは、バーコードスキャナー、ハンドヘルドパーソナルデジタルアシスタント、ラップトップコンピュータ、デジタルカメラ、オプティカルリーダー、データ読み取りデバイス、およびモバイル通信アレンジメントのうちの少なくとも１つである、請求項１に記載のアレンジメント。
【請求項１１】
前記第二のデータの各々は、前記複数の所定の運動イベントの１つに対応する、請求項１に記載のアレンジメント。
【請求項１２】
前記所定の手順は、音声信号および映像信号のうちの少なくとも１つの形で、前記アレンジメントに対する出力信号を生成することを含む、請求項１に記載のアレンジメント。
【請求項１３】
前記所定の手順は、前記アレンジメントのディスプレイのビューイングアングルを、前記第一のデータの関数として決定することと、該ビューイングアングルがビューイングアングルの閾値範囲の外にあるときには該ディスプレイのバックライトを消灯し、該ビューイングアングルが該ビューイングアングルの閾値範囲の内にあるときには該ディスプレイの該バックライトを点灯することとを含む、請求項１に記載のアレンジメント。
【請求項１４】
前記所定の手順は、前記アレンジメントのディスプレイのビューイングアングルを、前記第一のデータの関数として決定することと、該ビューイングアングルがビューイングアングルの閾値範囲の外にあるときには該ディスプレイをオフにし、該ビューイングアングルが該ビューイングアングルの閾値範囲の内にあるときには該ディスプレイをオンにすることとを含む、請求項１に記載のアレンジメント。
【請求項１５】
前記所定の手順は、前記アレンジメントをシャットダウンすることを含む、請求項１に記載のアレンジメント。
【請求項１６】
前記所定の手順は、前記第一のデータを前記アレンジメントに対するコマンドに対応する入力として解釈することを含む、請求項１に記載のアレンジメント。
【請求項１７】
前記アレンジメントへのアクセスを制御するセキュリティモジュールをさらに備える、請求項１に記載のアレンジメント。
【請求項１８】
前記第一のデータが、前記アレンジメントの前記方向および前記動きの変化が無いことを示すときには、前記所定の手順は、前記セキュリティモジュールによって該アレンジメントへのアクセスを妨げることを含む、請求項１７に記載のアレンジメント。
【請求項１９】
前記セキュリティモジュールは、パスワードの提出により前記アレンジメントへのアクセスを妨げない、請求項１８に記載のアレンジメント。
【請求項２０】
前記所定の手順は、ユーザーに対する前記ディスプレイの向きを、前記第一のデータの関数として決定することと、該ディスプレイの該向きを、第一のディスプレイの向きから第二のディスプレイの向きに、該第一のデータおよび該第二のデータの関数として変化させることとを含む、請求項１に記載のアレンジメント。
【請求項２１】
前記第一のディスプレイの向きは横長モードであり、前記第二のディスプレイの向きは縦長モードである、請求項２０に記載のアレンジメント。
【請求項２２】
前記第一のディスプレイの向きは縦長モードであり、前記第二のディスプレイの向きは横長モードである、請求項２０に記載のアレンジメント。
【請求項２３】
イメージ読み取りデバイスをさらに備える請求項１に記載のアレンジメント。
【請求項２４】
前記所定の手順は、前記イメージ読み取りデバイスによって読み取られたイメージを、該イメージが読み取られた時点の前記第一のデータの関数として調節することを含む、請求項２３に記載のアレンジメント。
【請求項２５】
アレンジメントの方向および動きを含む運動イベントの第一のデータを、センサーを使用して検知するステップと、
少なくとも１つの所定の手順が実行されるべきかどうかを決定するために、該第一のデータを、該方向および該動きの変化の所定の閾値範囲を含む第二のデータと、プロセッサを使用して比較するステップと、
該所定の手順が実行される場合には、該運動イベントに対応する該所定の手順を、該第一のデータの関数として選択するステップと、
該アレンジメントのイベント履歴を遠隔で監視するために、該第一のデータのうちの少なくとも一部分をリモートのコンピューティングデバイスに無線で伝送することを含む、該少なくとも１つの所定の手順を実行するステップと、を包含する方法。
【請求項２６】
前記所定の手順は、メモリデバイスの中に前記第一のデータを格納することを含む、請求項２５に記載の方法。
【請求項２７】
前記所定の手順は、権限を有するユーザーだけに前記第一のデータへのアクセスを可能とするために、該格納された第一のデータを暗号化することを含む、請求項２６に記載の方法。
【請求項２８】
前記動きは、速度の値、加速度の値および角速度の値のうちの少なくとも１つを含む、請求項２５に記載の方法。
【請求項２９】
前記方向は、前記アレンジメントの少なくとも１つの軸に対しての該アレンジメントの少なくとも１つの角運動の値を含む、請求項２５に記載の方法。
【請求項３０】
少なくとも１つの軸は、３次元軸を含む、請求項２９に記載の方法。
【請求項３１】
前記所定の手順が、前記運動イベントの時／日、前記アレンジメントの状態、および環境データのうちの少なくとも１つを、前記第一のデータにさらに追加することを含む、請求項２５に記載の方法。
【請求項３２】
前記所定の手順は、（ｉ）前記アレンジメントの物理的衝撃のレベル、および（ｉｉ）該アレンジメントが移動した距離のうちの少なくとも１つを、前記第一のデータの関数として決定することを含む、請求項２５に記載の方法。
【請求項３３】
前記第二のデータの各々は、前記複数の所定の運動イベントの１つに対応する、請求項２５に記載の方法。
【請求項３４】
前記所定の手順は、音声信号および映像信号の少なくとも１つの形で、前記アレンジメントに対する出力信号を生成することを含む、請求項２５に記載の方法。
【請求項３５】
前記所定の手順は、前記アレンジメントのディスプレイのビューイングアングルを、前記第一のデータの関数として決定することと、該ビューイングアングルがビューイングアングルの閾値範囲の外にあるときには該ディスプレイのバックライトを消灯し、該ビューイングアングルが該ビューイングアングルの閾値範囲の内にあるときには該ディスプレイの該バックライトを点灯することとを含む、請求項２５に記載の方法。
【請求項３６】
前記所定の手順は、前記アレンジメントのディスプレイのビューイングアングルを、前記第一のデータの関数として決定することと、該ビューイングアングルがビューイングアングルの閾値範囲の外にあるときには該ディスプレイをオフにし、該ビューイングアングルが該ビューイングアングルの閾値範囲の内にあるときには該ディスプレイをオンすることとを含む、請求項２５に記載の方法。
【請求項３７】
前記第一のデータが、前記アレンジメントの前記方向および前記動きの変化が無いことを示すときには、前記所定の手順は、セキュリティモジュールによって該アレンジメントへのアクセスを妨げることを含む、請求項２５に記載の方法。
【請求項３８】
前記セキュリティモジュールは、パスワードの提出により前記アレンジメントへのアクセスを妨げない、請求項３７に記載の方法。
【請求項３９】
前記所定の手順は、ユーザーに対する前記ディスプレイの向きを、前記第一のデータの関数として決定すること、および該ディスプレイの該向きを、第一のディスプレイの向きから第二のディスプレイの向きへ、該第一のデータおよび前記第二のデータの関数として変化させることを含む、請求項２５に記載の方法。
【請求項４０】
前記第一のディスプレイの向きは横長モードであり、前記第二のディスプレイの向きは縦長モードである、請求項３９に記載の方法。
【請求項４１】
前記第一のディスプレイの向きは縦長モードであり、前記第二のディスプレイの向きは横長モードである、請求項３９に記載の方法。
【請求項４２】
前記所定の手順は、イメージ読み取りデバイスによって読み込まれたイメージを、該イメージが読み取られた時点の前記第一のデータの関数として調節することを含む、請求項２５に記載の方法。